(57)【要約】【課題】本発明の課題は、筆記具本体に、キャップを着脱自在に装着するキャップ式筆記具において、キャップを容易に着脱できるキャップ式筆記具を簡単な構造で提供することである。【解決手段】本発明は、前記課題を解決するために、筆記具本体に、合成樹脂製からなるキャップを着脱自在に装着するキャップ式筆記具であって、前記キャップの外壁の一部に、微細な凹凸を形成した梨地状の滑り止め部を形成したことを特徴とするものである。【選択図】      図２
2008055745.tif 000002
【特許請求の範囲】
【請求項１】
筆記具本体に、合成樹脂製からなるキャップを着脱自在に装着するキャップ式筆記具であって、前記キャップの外壁の一部に、微細な凹凸を形成した梨地状の滑り止め部を形成したことを特徴とするキャップ式筆記具。
【請求項２】
前記キャップが、透明又は半透明の合成樹脂からなることを特徴とする請求項１に記載のキャップ式筆記具。
【請求項３】
前記キャップが、梨地状の滑り止め部を形成した部分の内壁面に、筆記具本体と嵌合する嵌合部を形成したことを特徴とする請求項１または２に記載のキャップ式筆記具。
【発明の詳細な説明】
【技術分野】
【０００１】
本発明は、筆記具本体に、合成樹脂製からなるキャップを着脱自在に装着するキャップ式筆記具に関する。
【背景技術】
【０００２】
従来から、筆記具本体に、合成樹脂製からなるキャップを着脱自在に装着するキャップ式筆記具はよく知られている。こうした筆記具のキャップは、筆記具本体に着脱自在に装着するため、軸筒の外壁面とキャップの内壁との乗り越し嵌合、凹凸嵌合等によって装着されている。
【０００３】
軸筒等の筆記具本体とキャップを凹凸嵌合や乗り越し嵌合とすることは、キャップを容易に着脱できるので、利便性は高いが、繰り返しの使用や経時によって、嵌合力が低下する。そのため、軸筒とキャップの初期の嵌合力を高くする必要があるが、キャップを軸筒から着脱し難くなるという問題があった。
【０００４】
また、キャップが透明又は半透明の場合には、筆記具本体との凹凸嵌合や乗り越し嵌合時に当接し擦れる嵌合部等が、経時によって白化し、見栄えが悪くなるという問題があった。
【０００５】
こうした問題を鑑みて、特開平０９−６６６９４号公報「筆記具のキャップ」に、特殊な樹脂材料を用いることによって、耐衝撃性や耐摩耗性に優れた筆記具のキャップが開示されている。
【特許文献１】「特開平０９−６６６９４号公報」
【発明の開示】
【発明が解決しようとする課題】
【０００６】
しかしながら、特殊な材料を用いることは、製品コストが高騰し、低価格品には不向きであるとともに、成形条件変更による寸法精度のバラツキや経時試験等の新たな課題が発生する。
【０００７】
ところで、キャップが小さい場合や、筆記具用キャップの外壁が光沢面等の凹凸がない場合には、軸筒から筆記具用キャップを取り外す時に、滑りやすく、力を加えに難いために、取り外しが困難である。
【０００８】
本発明の目的は、軸筒本体に、キャップを容易に着脱自在に装着できるキャップ式筆記具を簡単な構造で提供することにある。
【課題を解決するための手段】
【０００９】
本発明は前記目的を達成するために、筆記具本体に、合成樹脂製からなるキャップを着脱自在に装着するキャップ式筆記具であって、前記キャップの外壁の一部に、微細な凹凸を形成した梨地状の滑り止め部を形成したことを特徴とする。
【００１０】
また、前記キャップが、透明又は半透明の合成樹脂からなることを特徴とする。
【００１１】
また、前記キャップが、梨地状の滑り止め部を形成した部分の内壁面に、筆記具本体と嵌合する嵌合部を形成したことを特徴とする。
【発明の効果】
【００１２】
本発明の筆記具は前述したような構造なので、軸筒本体の先端に、キャップを容易に着脱自在に装着できるキャップ式筆記具を簡単な構造で提供することができた。
【発明を実施するための最良の形態】
【００１３】
本発明の実施例を図面を用いて説明する。同じ部材、同じ箇所を示すものは同じ符号を付す。
【００１４】
図１から図３に示す実施例１のキャップ式筆記具１は、前軸２と後軸３とを連結した軸筒本体内に、筆記具用インキ（図示せず）を直詰めしたインキ収容筒９の先端に、ボールを回転自在に抱持したボールペンチップ１１を、チップホルダー１０を介して装着したボールペンレフィルを配設した筆記具本体と、ポリカーボネート樹脂（ＰＣ樹脂）で射出成形にて形成した透明のキャップ４とを、前軸２の外壁に形成した嵌合凸部２ａと、キャップ４の内壁に形成した嵌合突部４ａの乗り越し嵌合によって、着脱自在に装着して、キャップ式筆記具１を得ている。
【００１５】
また、キャップ４の外壁には、転がり防止用突起６を一体に成形し、頭冠７を二色成形により形成してあり、この頭冠７の内部にペン先部を密閉するシール部材８を付設してある。更にまた、前軸２の把持部にはグリップ部材１２を装着してある。
【００１６】
キャップ４は、外壁を光沢面とし、キャップ４の後端部に微細な凹凸を一体に形成した梨地面からなる滑り止め部５を周状に形成してある。この滑り止め部５と他の部分の境界線は波形状に形成してある。
【００１７】
キャップ４と前軸２との装着方法は、着脱自在に装着してあれば、ネジ嵌合、凹凸嵌合、乗り越し嵌合等、特に限定されるものではないが、凹凸嵌合や乗り越し嵌合の場合は、繰り返しの使用や経時によって、嵌合力が低下する恐れがあるため、初期の嵌合力を高くする必要があるため、キャップ４の外壁に形成した微細な凹凸の梨地面による、手で掴んだ時の滑り止め部５を形成することによって、キャップ４の着脱が容易になる。
【００１８】
また、キャップ４の外壁に形成した滑り止め部５は、外壁に微細な凹凸を形成するだけなので、デザインを制約することなく、実施可能であるとともに、弾性体等の他の材料を用いることなく成形できるため製造コストが高くなることはないので好ましい。更にまた、滑り止め部５（梨地面）と他の部分（光沢面）との境界線を波形状に形成することによって、装飾効果を高めることができる。
【００１９】
また、梨地面を形成した滑り止め部５の内壁面に、前軸２と嵌合する嵌合凸部４ａ（嵌合部）を形成することによって、キャップ４を透明又は半透明で形成してあっても、前軸２との凹凸嵌合や乗り越し嵌合時に当接し擦れる部分が、経時によって白化しても、梨地面によって内部が視認し難いため、見栄えが悪くなることはないので好ましい。
【００２０】
本実施例では、便宜上、筆記具のキャップをポリカーボネート（ＰＣ樹脂）で形成してあるが、ＡＳ樹脂やＰＰ樹脂等の合成樹脂材料など、筆記具用キャップして一般的に用いられる合成樹脂材料のなかから適宜選定すればよいが、筆記具用キャップを透明又は半透明に形成することによって、微細な凹凸を形成した滑り止め部と色彩の変化が大きく、装飾効果が向上するので好ましい。
【産業上の利用可能性】
【００２１】
本発明のキャップ式筆記具は、キャップを着脱自在に装着したキャップ式筆記具であれば、ボールペンやマーカーなど、インキの種類やペン先形状等、筆記体や、軸筒等の形状や内部構造等、筆記具本体に限定されることなく実施することができる。
【図面の簡単な説明】
【００２２】
【図１】実施例１のキャップ式筆記具を示す縦断面図である。
【図２】図１におけるキャップの外観図
【図３】図２における縦断面図である。
【符号の説明】
【００２３】
１  キャップ式筆記具
２  前軸
２ａ  嵌合凸部
３  後軸
４  キャップ
４ａ  嵌合突部
５  滑り止め部
６  転がり防止用突起
７  頭冠
８  シール部材
９  インキ収容筒
１０  チップホルダー
１１  ボールペンチップ
【図１】
2008055745.tif 000003
【図２】
2008055745.tif 000004
【図３】
2008055745.tif 000005